【手続補正書】
【提出日】平成26年9月18日(2014.9.18)
【手続補正１】
【補正対象書類名】明細書
【補正対象項目名】発明の名称
【補正方法】変更
【補正の内容】
【発明の名称】制御システム、情報処理装置、端末装置、制御方法及び制御プログラム
【手続補正２】
【補正対象書類名】明細書
【補正対象項目名】０００９
【補正方法】変更
【補正の内容】
【０００９】
以上の課題を解決するため、本発明は、情報処理装置と、前記情報処理装置との間で無線通信を行う端末装置と、を備え、前記情報処理装置の状態を制御する制御システムにおいて、
前記端末装置は、ユーザと共に移動するものであり、
前記端末装置は、前記情報処理装置を第１状態と第２状態との間で切り替えるための切替要求信号を、ユーザ操作に応じて送信する切替要求信号送信部を有し、
前記情報処理装置は、
前記無線通信における、前記端末装置から送信される信号の受信信号強度を測定する受信信号強度測定部と、
前記情報処理装置が前記切替要求信号を受信したときに前記受信信号強度測定部により測定される受信信号強度を切替閾値に設定し、前記受信信号強度が前記切替閾値未満になったときに当該情報処理装置を前記第２状態から前記第１状態に切り替え、前記受信信号強度が前記切替閾値以上になったときに当該情報処理装置を前記第１状態から前記第２状態に切り替える制御部と、
を有し、
前記第１状態は、ログアウト状態又はロック状態であり、前記第２状態は、ログイン状態又はアンロック状態であることを特徴とする。
【手続補正３】
【補正対象書類名】特許請求の範囲
【補正対象項目名】全文
【補正方法】変更
【補正の内容】
【特許請求の範囲】
【請求項１】
情報処理装置と、前記情報処理装置との間で無線通信を行う端末装置と、を備え、前記情報処理装置の状態を制御する制御システムにおいて、
前記端末装置は、ユーザと共に移動するものであり、
前記端末装置は、前記情報処理装置を第１状態と第２状態との間で切り替えるための切替要求信号を、ユーザ操作に応じて送信する切替要求信号送信部を有し、
前記情報処理装置は、
前記無線通信における、前記端末装置から送信される信号の受信信号強度を測定する受信信号強度測定部と、
前記情報処理装置が前記切替要求信号を受信したときに前記受信信号強度測定部により測定される受信信号強度を切替閾値に設定し、前記受信信号強度が前記切替閾値未満になったときに当該情報処理装置を前記第２状態から前記第１状態に切り替え、前記受信信号強度が前記切替閾値以上になったときに当該情報処理装置を前記第１状態から前記第２状態に切り替える制御部と、
を有し、
前記第１状態は、ログアウト状態又はロック状態であり、前記第２状態は、ログイン状態又はアンロック状態であることを特徴とする制御システム。
【請求項２】
請求項１記載の制御システムにおいて、
前記切替要求信号送信部は、
ユーザ操作に応じて、前記切替要求信号として、前記情報処理装置を前記第２状態から前記第１状態に切り替えるための第１切替要求信号と、前記情報処理装置を前記第１状態から前記第２状態に切り替えるための第２切替要求信号と、を送信し、
前記制御部は、
前記第１切替要求信号が受信されたときの前記受信信号強度を第１切替閾値に設定し、
前記第２切替要求信号が受信されたときの前記受信信号強度を第２切替閾値に設定し、
前記受信信号強度が前記第１切替閾値未満の値になったときに、前記情報処理装置を第２状態から第１状態に切り替え、
前記受信信号強度が前記第２切替閾値より大きい値になったときに、前記情報処理装置を第１状態から第２状態に切り替えることを特徴とする制御システム。
【請求項３】
請求項２記載の制御システムにおいて、
前記情報処理装置は、前記第１切替閾値と前記第２切替閾値とを記憶する閾値記憶部を有し、
前記閾値記憶部は、
前記情報処理装置が前記第１切替要求信号を複数回受信したとき、前記第１切替要求信号を受信する毎の複数の前記受信信号強度のうち、最小の受信信号強度を前記第１切替閾値として記憶するとともに、
前記情報処理装置が前記第２切替要求信号を複数回受信したとき、前記第２切替要求信号を受信する毎の複数の前記受信信号強度のうち、最小の受信信号強度を前記第２切替閾値として記憶することを特徴とする制御システム。
【請求項４】
請求項１〜３の何れか一項に記載の制御システムにおいて、
前記情報処理装置は、
前記第１状態から前記第２状態への切り替え時に、前回の前記第２状態から前記第１状態への切り替え時に実行されていた処理内容をレジュームするレジューム部を有することを特徴とする制御システム。
【請求項５】
請求項１〜４の何れか一項に記載の制御システムにおいて、
前記端末装置は、
暗号キー及び復号キーを記憶するキー記憶部を有し、
前記情報処理装置は、
ファイルを記憶するファイル記憶部と、
前記端末装置から送信される前記暗号キーを用い、前記第２状態から前記第１状態への切り替え時に、この時点で開いているファイルを暗号化して前記ファイル記憶部に記憶させる暗号化部と、
前記端末装置から送信される前記復号キーを用い、前記第１状態から前記第２状態への切り替え時に、前回の前記第２状態から前記第１状態への切り替え時に開いていたファイルを前記ファイル記憶部から読み出し、復号化して開く復号化部と、
を有することを特徴とする制御システム。
【請求項６】
請求項１〜５の何れか一項に記載の制御システムにおいて、
前記情報処理装置は、
前記切替閾値を、ユーザ操作に基づいて変更する切替閾値変更部を有することを特徴とする制御システム。
【請求項７】
請求項１〜６の何れか一項に記載の制御システムにおいて、
前記情報処理装置は、
ネットワークを介してサーバと通信可能な通信部と、
前記サーバへのアクセスを行うサーバアクセスアプリケーションを実行するサーバアクセスアプリケーション実行部と、
前記第１状態から前記第２状態への切り替え時に、前記サーバアクセスアプリケーション実行部に前記サーバアクセスアプリケーションを実行させ、前記サーバに対してログインするサーバログイン制御部と、
を有することを特徴とする制御システム。
【請求項８】
情報処理装置において、
無線通信により外部から送信される信号を受信したときの受信信号強度を測定する受信信号強度測定部と、
前記情報処理装置が前記信号として、当該情報処理装置を第１状態と第２状態との間で切り替えるための切替要求信号を受信したときに、前記受信信号強度測定部により測定される前記受信信号強度を切替閾値とし、前記受信信号強度が前記切替閾値未満の値になったときに当該情報処理装置を前記第２状態から前記第１状態に切り替え、前記受信信号強度が前記切替閾値より大きい値になったときに当該情報処理装置を前記第１状態から前記第２状態に切り替える制御部と、
を有し、
前記第１状態はログアウト状態又はロック状態であり、前記第２状態はログイン状態又はアンロック状態であることを特徴とする情報処理装置。
【請求項９】
請求項８に記載の情報処理装置において、
前記制御部は、
前記切替要求信号として、前記情報処理装置を前記第２状態から前記第１状態に切り替えるための第１切替要求信号を前記無線通信により受信したときの前記受信信号強度を第１切替閾値に設定し、
前記切替要求信号として、前記情報処理装置を前記第１状態から前記第２状態に切り替えるための第２切替要求信号を前記無線通信により受信したときの前記受信信号強度を第２切替閾値に設定し、
前記受信信号強度が前記第１切替閾値未満の値になったときに、前記情報処理装置を前記第２状態から前記第１状態に切り替え、
前記受信信号強度が前記第２切替閾値以上の値になったときに、前記情報処理装置を前記第１状態から前記第２状態に切り替えることを特徴とする情報処理装置。
【請求項１０】
請求項８に記載の前記切替要求信号を送信する端末装置。
【請求項１１】
情報処理装置と、前記情報処理装置との間で無線通信を行う端末装置と、を備えるシステムで前記情報処理装置の状態を制御する制御方法において、
前記端末装置として、ユーザと共に移動するものを用い、
前記端末装置から、ユーザの操作に応じて、前記情報処理装置を第１状態と第２状態との間で切り替えるための切替要求信号を送信する切替要求信号送信ステップと、
前記無線通信における、前記端末装置から送信される信号の受信信号強度を測定する受信信号強度測定ステップと、
前記情報処理装置が前記切替要求信号を受信したときに、前記受信信号強度測定ステップにより測定される前記受信信号強度を切替閾値に設定する設定ステップと、
前記受信信号強度が前記切替閾値未満になったときに、前記情報処理装置を前記第２状態から前記第１状態に切り替え、当該受信信号強度が前記切替閾値以上になったときに、前記情報処理装置を前記第１状態から前記第２状態に切り替える制御ステップと、
を含み、
前記第１状態は、ログアウト状態又はロック状態であり、前記第２状態は、ログイン状態又はアンロック状態であることを特徴とする制御方法。
【請求項１２】
請求項１１記載の制御方法において、
前記切替要求信号送信ステップでは、
ユーザ操作に応じて、前記切替要求信号として、前記情報処理装置を前記第２状態から前記第１状態に切り替えるための第１切替要求信号と、前記情報処理装置を前記第１状態から前記第２状態に切り替えるための第２切替要求信号と、前記情報処理装置に送信し、
前記設定ステップでは、
前記情報処理装置で前記第１切替要求信号が受信されたときの前記受信信号強度を第１切替閾値に設定し、前記情報処理装置で前記第２切替要求信号が受信されたときの前記受信信号強度を第２切替閾値に設定し、
前記制御ステップでは、
前記受信信号強度が前記第１切替閾値未満の値になったときに、前記情報処理装置を前記第２状態から前記第１状態に切り替え、前記受信信号強度が前記第２切替閾値以上の値になったときに、前記情報処理装置を前記第１状態から前記第２状態に切り替えることを特徴とする制御方法。
【請求項１３】
請求項１２記載の制御方法において、
前記設定ステップでは、
前記情報処理装置が前記第１切替要求信号を複数回受信したときに、前記第１切替要求信号を受信する毎の複数の前記受信信号強度のうち、最小の受信信号強度を前記第１切替閾値として記憶し、
前記情報処理装置が前記第２切替要求信号を複数回受信したときに、前記第２切替要求信号を受信する毎の複数の前記受信信号強度のうち、最小の受信信号強度を前記第２切替閾値として記憶することを特徴とする制御方法。
【請求項１４】
請求項１１〜１３の何れか一項に記載の制御方法において、
前記情報処理装置の前記第１状態から前記第２状態への切り替え時に、前回の前記第２状態から前記第１状態への切り替え時に前記情報処理装置で実行されていた処理内容を当該情報処理装置にレジュームさせるレジュームステップを含むことを特徴とする制御方法。
【請求項１５】
請求項１１〜１４の何れか一項に記載の制御方法において、
前記端末装置として、暗号キー及び復号キーを記憶するキー記憶部を有するものを用い、
前記情報処理装置として、ファイルを記憶するファイル記憶部を有するものを用い、
前記情報処理装置に前記端末装置から送信される前記暗号キーを使用させ、前記第２状態から前記第１状態への切り替え時に、この時点で開いているファイルを暗号化して前記ファイル記憶部に記憶させる暗号化ステップと、
前記情報処理装置に前記端末装置から送信される前記復号キーを使用させ、前記第１状態から前記第２状態への切り替え時に、前回の前記第２状態から前記第１状態への切り替え時に開いていたファイルを前記ファイル記憶部から読み出し、復号化して開かせる復号化ステップと、
を含むことを特徴とする制御方法。
【請求項１６】
情報処理装置と、前記情報処理装置との間で無線通信を行う端末装置と、を備えるシステムで、前記情報処理装置の状態を制御する制御プログラムにおいて、
前記端末装置は、ユーザと共に移動するものであり、
当該制御プログラムは、
前記端末装置に、
ユーザの操作に応じて、前記情報処理装置を第１状態と第２状態との間で切り替えるための切替要求信号を送信する切替要求信号送信機能を実現させ、
前記情報処理装置に、
前記無線通信における、前記端末装置から送信される信号の受信信号強度を測定する受信信号強度測定機能と、
前記切替要求信号が受信されたときに、前記受信信号強度測定機能により測定される受信信号強度を切替閾値に設定する閾値設定機能と、
前記受信信号強度が前記切替閾値未満になったときに、前記情報処理装置を前記第２状態から前記第１状態に切り替え、前記受信信号強度が前記切替閾値以上になったときに、前記情報処理装置を前記第１状態から前記第２状態に切り替える制御機能と、
を実現させ、
前記第１状態は、ログアウト状態又はロック状態であり、前記第２状態は、ログイン状態又はアンロック状態であることを特徴とする制御プログラム。
【請求項１７】
請求項１６記載の制御プログラムにおいて、
前記切替要求信号送信機能では、前記端末装置に、ユーザの操作に応じて、前記切替要求信号として、前記情報処理装置を第２状態から第１状態に切り替えるための第１切替要求信号と、前記情報処理装置を第１状態から第２状態に切り替えるための第２切替要求信号と、を前記情報処理装置に送信する機能を実現させ、
前記閾値設定機能では、前記第１切替要求信号が受信されたときの前記受信信号強度を第１切替閾値に設定し、前記第２切替要求信号が受信されたときの前記受信信号強度を第２切替閾値に設定し、
前記制御機能では、前記情報処理装置に、
前記受信信号強度が前記第１切替閾値未満になったときに、前記情報処理装置を第２状態から第１状態に切り替え、
前記受信信号強度が前記第２切替閾値より大きい値になったときに、前記情報処理装置を第１状態から第２状態に切り替える機能を実現させることを特徴とする制御プログラム。
【請求項１８】
請求項１７記載の制御プログラムは、更に、前記情報処理装置に、前記第１切替閾値と前記第２切替閾値とを記憶する閾値記憶機能を実現させ、
前記閾値記憶機能では、前記情報処理装置に、
前記情報処理措置で前記第１切替要求信号が複数回受信されたときに、前記第１切替要求信号が受信された毎の複数の前記受信信号強度のうちの、最小の受信信号強度を、前記ログアウト用の切替閾値として記憶し、
前記情報処理措置で前記第２切替要求信号が複数回受信されたときに、前記第２切替要求信号が受信された毎の複数の前記受信信号強度のうち、最小の受信信号強度を、前記ログイン用の切替閾値として記憶する機能を実現させることを特徴とする制御プログラム。
【請求項１９】
請求項１６に記載の制御プログラムは、更に、
前記情報処理装置に、第１状態から第２状態への切り替え時に、前回の第２状態から第１状態への切り替え時に前記情報処理装置で実行されていた処理内容をレジュームするレジューム機能を実現させることを特徴とする制御プログラム。
【請求項２０】
請求項１６に記載の制御プログラムにおいて、
前記端末装置は、暗号キー及び復号キーを記憶するキー記憶部を有し、
前記情報処理装置は、ファイルを記憶するファイル記憶部を有し、
前記制御プログラムは、更に、前記情報処理装置に、
前記端末装置から送信される前記暗号キーを用い、第２状態から第１状態への切り替え時に、この時点で開いているファイルを暗号化して前記ファイル記憶部に記憶させる暗号化機能と、
前記端末装置から送信される前記復号キーを用い、第１状態から第２状態への切り替え時に、前回の第２状態から第１状態への切り替え時に開いていたファイルを前記ファイル記憶部から読み出し、復号化して開く復号化機能と、
を実現させることを特徴とする制御プログラム。